(57)【要約】【課題】安定した記録紙の積載を可能にする記録紙スタッカを提供する。【解決手段】本発明による記録紙スタッカは、排出口側が深くなるように傾斜し、上下方向に回動可能に設けられた記録紙保持板と、記録紙保持板に積載された記録紙の重さによって記録紙保持板の傾斜が変化するように記録紙保持板を上方向に付勢する付勢手段とを有する。付勢手段の一例はコイルバネであるが、その他バネ性を有する部材あるいは材料を用いてもよい。たとえば、バネ性を有するスポンジ、ゴム、板バネ、片持ちばり状のモールド部材などが使用可能である。【選択図】図１
2008290785.tif 000002
【特許請求の範囲】
【請求項１】
排出口から排出された記録紙を積載する記録紙スタッカであって、
前記排出口側が深くなるように傾斜し、上下方向に回動可能に設けられた記録紙保持手段と、
前記記録紙保持手段に積載された前記記録紙の重さによって前記記録紙保持手段の傾斜が変化するように、前記記録紙保持手段を上方向に付勢する付勢手段と、
を有することを特徴する記録紙スタッカ。
【請求項２】
前記排出口の少なくとも両端に前記記録紙を下方向に押圧する記録紙押圧手段を更に有することを特徴とする請求項１に記載の記録紙スタッカ。
【請求項３】
前記記録紙押圧手段は、前記排出口の両端に設けられた弾性部材であり、その下端が前記排出口の記録紙排出位置より下側に位置することを特徴とする請求項２に記載の記録紙スタッカ。
【請求項４】
前記記録紙押圧手段は、前記排出口の全域に設けられた弾性部材であり、その下端が前記排出口の記録紙排出位置より下側に位置することを特徴とする請求項２に記載の記録紙スタッカ。
【請求項５】
前記記録紙押圧手段は、前記排出口の両端において、前記記録紙押圧手段の下端がその他の領域よりも下側に位置することを特徴とする請求項２に記載の記録紙スタッカ。
【請求項６】
前記排出口側のスタッカ壁に設けられた記録紙誘導手段を更に有し、前記記録紙保持手段に前記記録紙誘導手段を通す溝を設け、前記記録紙保持手段が前記記録紙誘導手段に沿って回動可能であることを特徴とする請求項１−５のいずれかに記載の記録紙スタッカ。
【発明の詳細な説明】
【技術分野】
【０００１】
本発明は搬送機構により排出された記録紙を保持する記録紙スタッカに関する。
【背景技術】
【０００２】
プリンタやファクシミリ装置などでは、画像記録あるいは印字を行った記録紙を搬送し記録紙スタックに排出する構成が採用されている。スキャナなどの画像読み取り装置でも同様の記録紙搬送および排出処理が行われている。このような記録紙スタックでは、装置を小型化するために、記録紙保持面を排出口側に深く傾斜させてその上に記録紙を順次スタックさせる構成が一般的である。
【０００３】
しかしながら、このような記録紙スタッカでは、記録紙のスタック枚数が増大すると記録紙が排出口を塞いでしまいペーパージャムを引き起こすことがある。これを回避するために、特開２０００−７２３１２号公報（特許文献１）には、スタッカの排出口側を回動軸としてスプリングにより上方向に付勢し、記録紙の積載により徐々に下方向に移動するスタッカ構成が提案されている。
【０００４】
【特許文献１】特開２０００−７２３１２号公報
【発明の開示】
【発明が解決しようとする課題】
【０００５】
しかしながら、上述した記録紙スタッカでは、カールした記録紙がスタックされた時、その記録紙が排出口を塞いでしまい、次に排出される記録紙によってスタッカから押し出されることがある。具体的には次のような場合である。
【０００６】
図８（Ａ）は記録紙が副走査方向にカールした場合の記録紙排出の様子を示す記録紙スタッカの概略的断面図、（Ｂ）は記録紙が主走査方向にカールした場合の記録紙排出の様子を示す記録紙スタッカの概略的断面図である。
【０００７】
図８（Ａ）に示すように、記録紙排出部１０に設けられた排出ローラ１１から記録紙が排出され、急傾斜した記録紙保持板１２上にスタックされる。先に排出された記録紙１３ａが副走査方向（排出方向）に、上に開いてカールしている場合、次に排出される記録紙１３ｂの先端が先の記録紙１３ａに当接することで、記録紙１３ｂの副走査方向の上に開いたカールが更に大きくなる場合がある。また、先の記録紙１３ａのカールによって排出口が塞がれると、記録紙１３ｂの排出によって、記録紙１３ａがスタッカから押し出される場合もある。
【０００８】
また、図８（Ｂ）に示すように、先に排出された記録紙１４が主副走査方向（記録紙の幅方向）に、上に開いてカールしている場合、記録紙１４が積層されて先の記録紙のカールによって排出口が塞がれると、後から排出される記録紙１４によって先の記録紙がスタッカから押し出される場合もある。
【０００９】
本発明の目的は安定した記録紙の積載を可能にする記録紙スタッカを提供することにある。
【課題を解決するための手段】
【００１０】
本発明による記録紙スタッカは、前記排出口側が深くなるように傾斜し上下方向に回動可能に設けられた記録紙保持板と、前記記録紙保持板に積載された前記記録紙の重さによって前記記録紙保持板の傾斜が変化するように前記記録紙保持板を上方向に付勢する付勢手段と、を有することを特徴する。
【発明の効果】
【００１１】
本発明によって安定した記録紙の積載が可能となる。
【発明を実施するための最良の形態】
【００１２】
１．第１実施例
１．１）構成および動作
図１（Ａ）は本発明の第１実施例による記録紙スタッカの構成を示す側面断面図、図１（Ｂ）は記録紙が積載された時の記録紙スタッカの状態を示す側面断面図、図２（Ａ）は図１（Ａ）の記録紙スタッカの記録紙保持板および記録紙誘導板の形状を示す平面図、図２（Ｂ）は図１（Ａ）の記録紙スタッカを正面側から観た記録紙排出部の構成図、図３は図１（Ａ）の記録紙スタッカの斜視図、図４は図１（Ａ）の記録紙スタッカに記録紙が排出される状態の一例を示す斜視図である。以下、図１〜図４を参照しながら本発明の第１実施例による記録紙スタッカの構成および動作について詳細に説明する。
【００１３】
図１に示すように、記録紙を排出する排出部１００と支持台１０１との間には、排出部１００に近づくほど深くなる傾斜面が設けられ、その傾斜面に記録紙保持板１０２が取付軸１０３を中心に回動可能に設けられている。本実施例における保持板取付軸１０３は、排出部１００に対抗した傾斜面の上端部に位置する。記録紙保持板１０２は支持台１０１上に設けられたコイルバネ１０４によって支えられており、コイルバネ１０４が下方向に圧縮されると、記録紙保持板１０２を上向きに（白抜き矢印方向に）付勢する。コイルバネ１０４は付勢手段の一例であり、バネ性を有する部材あるいは材料を用いてもよい。たとえば、バネ性を有するスポンジ、ゴム、板バネ、片持ちばり状のモールド部材などが使用可能である。また、ここでは図２（Ｂ）および図３に示すように２個のコイルバネ１０４を設けて記録紙保持板１０２を安定させているが、記録紙保持板１０２の重さや大きさを考慮して適切な個数を使用すればよい。
【００１４】
記録紙が積載していないときには、記録紙保持板１０２は、図１（Ａ）に示すように、水平方向に対して一定の角度（緩い傾斜）に維持される。したがって、副走査方向にカールした記録紙１０８が積載しても、図８に示すようなカールの更なる悪化を防止できる。記録紙が積載するに従って、その記録紙の重さにより記録紙保持板１０２はコイルバネ１０４の付勢力に抗して取付軸１０３を中心に下方へ移動し、徐々に傾斜角度が大きくなる。
【００１５】
排出部１００の記録紙積載側の壁には記録紙誘導板１０５が複数個設けられ、排出された記録紙を記録紙保持板１０２上に案内する。排出部１００には排出口１０６が設けられ、搬送ローラ１０７により搬送された記録紙１０８は排出口１０６を通して排出されると、記録紙誘導板１０５に沿って傾斜した記録紙保持板１０２上に落下する。したがって、排出された記録紙１０８は、図１（Ｂ）に示すように、記録紙保持板１０２上に記録紙誘導板１０５の形状に従って揃った記録紙スタック１０９を形成する。
【００１６】
記録紙保持板１０２の取付軸１０３を中心とした回動は、記録紙誘導板１０５の上下方向に沿って行われる。図２（Ａ）に示すように、記録紙保持板１０２の記録紙誘導板１０５に対応する位置に切欠部１０２ａがそれぞれ形成されており、切欠部１０２ａに記録紙誘導板１０５がそれぞれ入り込んでいる。したがって、記録紙誘導板１０５に沿って落下してくる記録紙１０８は、傾斜した記録紙保持板１０２から滑り落ちることなく、記録紙保持板１０２上に記録紙誘導板１０５によって揃った状態で安定して積載される。
【００１７】
さらに、図２（Ｂ）に示すように、本実施例による記録紙スタッカでは、排出部１００の排出口１０６の両端に上端を固定した記録紙押圧手段１１０として記録紙押圧シートが設けられ、排出口１０６から排出される記録紙１０８の幅方向（主走査方向）の両端を下方向に押圧する。記録紙押圧シート１１０の下端が搬送ローラ１０７により記録紙が排出される位置より下まで伸びていることで、記録紙１０８の両端を適切に押圧して下側に湾曲させて排出することができる。従って、記録紙１０８の主走査方向のカールを効果的に抑制することができ、記録紙保持板１０２上に多数の記録紙１０８が積載した場合であっても、積載した記録紙が排出口１０６を塞ぐ事態を防止できる。さらに、記録紙押圧シート１１０は排出口１０６から排出される記録紙１０８を下方向に押圧するので、副走査方向のカールを抑制する効果もある。
【００１８】
記録紙押圧手段１１０には弾性を有するシートを用いているが、これに限定されるものではない。たとえば、剛性の小さいモールド部材、導電ブラシ、板バネなどの弾性部材を記録紙の下方押圧手段として用いることもできる。
【００１９】
１．２）効果
図５は本発明の第１実施例による記録紙スタッカの第１の効果を説明するための側面断面図であり、図６本発明の第１実施例による記録紙スタッカの第２の効果を説明するための側面断面図である。
【００２０】
図５に示すように、記録紙１０８が積載していないときには、記録紙保持板１０２は水平方向に対して一定の角度（緩い傾斜）に維持されているので、副走査方向にカールした記録紙１０８が積載しても、その表面は緩い傾斜で記録紙保持板１０２上に積載する。したがって、次の記録紙の先端が当該積載した記録紙１０８に当接しても、緩い傾斜面に当たるだけであるから、積載した記録紙の上に大きな抵抗無く滑るように重なって積載される。したがって、排出される記録紙が更に大きなカールを生じることを防止できる。記録紙が積載するに従って、その記録紙の重さにより記録紙保持板１０２はコイルバネ１０４の付勢力に抗して取付軸１０３を中心に下方へ移動し、徐々に傾斜角度が大きくなる。このように記録紙保持板１０２が下方に移動しても、記録紙スタック１０９によって排出される記録紙１０８の先端は最上面の積載記録紙に当接するので、当接位置に大きな変化はない。したがって、記録紙のカールを悪化させることなく、限られたスペースに多数の記録紙を排出できるという高い記録紙スタック性能を得ることができる。
【００２１】
また、図６に示すように、記録紙押圧シート１１０の下端が搬送ローラ１０７により記録紙が排出される位置より下まで伸びていることで、記録紙１０８の両端が押圧され下側に湾曲して排出される。従って、記録紙１０８の主走査方向のカールを効果的に抑制することができ、記録紙保持板１０２上に多数の記録紙１０８が積載した場合であっても、積載した記録紙が排出口１０６を塞ぐ事態を防止できる。さらに、記録紙押圧シート１１０は排出口１０６から排出される記録紙１０８を下方向に押圧するので、副走査方向のカールを抑制できる。特に、図６に示すように大きな記録紙１０８が排出される場合でも、記録紙の主走査方向の両端が下側に押圧されるので、前に排出された記録紙が排出口を塞ぐことが無い。
【００２２】
このようにコイルバネ１０４の付勢により記録紙保持板１０２の傾斜を緩くして記録紙を積載し、排出口１０６の両端に記録紙押圧シート１１０を設けることにより、排出される記録紙のカールを抑制することができ、記録紙を安定してスタックすることができる。
【００２３】
２．第２実施例
上記第１実施例では、図２（Ｂ）に示すように排出部１００の排出口１０６の両端に上端を固定した記録紙押圧シート１１０が設けられ、排出口１０６から排出される記録紙１０８の幅方向（主走査方向）の両端を下方向に押圧する構成が採用されたが、本発明のこれに限定されるものではない。以下、本発明の第２実施例について説明する。
【００２４】
図７は本発明の第２実施例による記録紙スタッカを正面側から観た記録紙排出部の構成図である。本実施例によれば、記録紙押圧手段１１０を排出口１０６の両端だけではなく全域に設け、さらにシートではなく弾性部材からなるブラシが用いられている。記録紙押圧手段１１０の下端が排出口１０６の全域に渡って搬送ローラ１０７の記録紙排出位置より下まで伸びていることで、記録紙１０８をより効果的に押圧して下側に湾曲させ、カールを抑制して排出することができる。
【００２５】
特に、記録紙押圧手段１１０の下端を排出口１０６の両端においてより下側までのばすことで、排出される記録紙１０８の主走査方向の両端をより効果的に下側へ押圧することができ、カールを効果的に抑制することができる。さらに、ブラシを導電性材料で形成すれば除電することもできる。
【００２６】
なお、本実施例では、記録紙押圧手段１１０としてブラシを用いているが、これに限定されるものではなく、上述したように、弾性を有するシート、剛性の小さいモールド部材、板バネなどの弾性部材を用いることもできる
【産業上の利用可能性】
【００２７】
本発明はプリンタやファクシミリ装置だけでなく、スキャナの記録紙スタッカにも適用可能であり、排出されたペーパーを順次積載する方式の記録紙スタッカ一般に適用可能である。
【図面の簡単な説明】
【００２８】
【図１】（Ａ）は本発明の第１実施例による記録紙スタッカの構成を示す側面断面図、（Ｂ）は記録紙が積載された時の記録紙スタッカの状態を示す側面断面図である。
【図２】（Ａ）は図１（Ａ）の記録紙スタッカの記録紙保持板および記録紙誘導板の形状を示す平面図、（Ｂ）は図１（Ａ）の記録紙スタッカを正面側から観た記録紙排出部の構成図である。
【図３】図１（Ａ）の記録紙スタッカの斜視図である。
【図４】図１（Ａ）の記録紙スタッカに記録紙が排出される状態の一例を示す斜視図である。
【図５】本発明の第１実施例による記録紙スタッカの第１の効果を説明するための側面断面図である。
【図６】本発明の第１実施例による記録紙スタッカの第２の効果を説明するための側面断面図である。
【図７】本発明の第２実施例による記録紙スタッカを正面側から観た記録紙排出部の構成図である。
【図８】（Ａ）は記録紙が副走査方向にカールした場合の記録紙排出の様子を示す記録紙スタッカの概略的断面図、（Ｂ）は記録紙が主走査方向にカールした場合の記録紙排出の様子を示す記録紙スタッカの概略的断面図である。
【符号の説明】
【００２９】
１００  記録紙排出部
１０１  支持台
１０２  記録紙保持板
１０３  保持板取付軸
１０４  コイルバネ
１０５  記録紙誘導板
１０６  排出口
１０７  搬送ローラ
１０８  記録紙
１０９  記録紙スタック
１１０  記録紙押圧シート
【図１】
2008290785.tif 000003
【図２】
2008290785.tif 000004
【図３】
2008290785.tif 000005
【図４】
2008290785.tif 000006
【図５】
2008290785.tif 000007
【図６】
2008290785.tif 000008
【図７】
2008290785.tif 000009
【図８】
2008290785.tif 000010